(57)【要約】【課題】剛性の異なる複数種類の媒体に対して精度の高い給送を行うことができる媒体給送装置、及びこれを備える画像読取装置を提供する。【解決手段】媒体給送装置１０は、装置本体２に設けられ、用紙を給送する給送ローラー１６と、装置本体２において給送ローラー１６と対向する位置に設けられ、用紙を分離する分離ローラー１７と、給送ローラー１６の上流側において用紙を傾斜姿勢に支持する媒体支持部９と、を備え、媒体支持部９は、媒体支持部９に支持される用紙の分離ローラー１７に対する当たり角度αを変更可能に構成されている。【選択図】図５
2018108888.tif 000002
【特許請求の範囲】
【請求項１】
装置本体に設けられ、媒体を給送する給送手段と、
前記装置本体において前記給送手段と対向する位置に設けられ、前記媒体を分離する分離手段と、
前記給送手段の上流側において前記媒体を傾斜姿勢に支持する媒体支持部と、を備え、
前記媒体支持部は、前記媒体支持部に支持される前記媒体の前記分離手段に対する当たり角度を変更可能に構成されている、
ことを特徴とする媒体給送装置。
【請求項２】
請求項１に記載の媒体給送装置において、
前記給送手段は、前記媒体支持部に支持された複数の媒体のうち、最下位の媒体に接触して回転することにより前記最下位の媒体を給送する、
ことを特徴とする媒体給送装置。
【請求項３】
請求項１または請求項２に記載の媒体給送装置において、
前記媒体支持部は、傾斜角度を変更可能に構成されている、
ことを特徴とする媒体給送装置。
【請求項４】
請求項３に記載の媒体給送装置において、
前記媒体支持部は、前記装置本体に対して回動可能に設けられている、
ことを特徴とする媒体給送装置。
【請求項５】
請求項１または請求項２に記載の媒体給送装置において、
前記媒体支持部は、前記媒体の支持面に、前記媒体の少なくとも一部に接触して回転可能な補助ローラーを少なくとも一つ備える、
ことを特徴とする媒体給送装置。
【請求項６】
請求項５に記載の媒体給送装置において、
前記補助ローラーは、前記支持面に対して突出する突出状態と、前記突出状態よりも前記支持面側に退避する退避状態と、を切り換え可能に構成されている、
ことを特徴とする媒体給送装置。
【請求項７】
請求項１または請求項２に記載の媒体給送装置において、
前記媒体支持部として、
前記装置本体に対して着脱可能な第１の媒体支持部と、
前記装置本体に着脱可能に設けられるアタッチメントを介して、前記装置本体に取り付け可能な第２の媒体支持部と、を交換可能に構成されている、
ことを特徴とする媒体給送装置。
【請求項８】
請求項７に記載の媒体給送装置において、
前記アタッチメントは、前記装置本体と前記第２の媒体支持部との間において、前記媒体の経路となる経路面を備える、
ことを特徴とする媒体給送装置。
【請求項９】
請求項８に記載の媒体給送装置において、
前記アタッチメントは、前記経路面に、前記媒体の少なくとも一部に接触して回転可能な補助ローラーを少なくとも一つ備える、
ことを特徴とする媒体給送装置。
【請求項１０】
請求項７から請求項９のいずれか一項に記載の媒体給送装置において、
前記第２の媒体支持部は、媒体給送方向上流側の端部に、前記媒体の少なくとも一部に接触して回転可能な補助ローラーを備える、
ことを特徴とする媒体給送装置。
【請求項１１】
請求項７から請求項９のいずれか一項に記載の媒体給送装置において、
前記第２の媒体支持部は、第１の媒体を支持する第１支持面と、前記第１支持面の下方に設けられ、前記第１の媒体と異なるサイズの第２の媒体を支持する第２支持面と、を備える、
ことを特徴とする媒体給送装置。
【請求項１２】
請求項７から請求項９のいずれか一項に記載の媒体給送装置において、
前記第２の媒体支持部は、前記装置本体に装着された前記アタッチメントに対して着脱可能であり、
前記第２の媒体支持部を前記アタッチメントに装着した際に、前記分離手段が前記給送手段から離間する、
ことを特徴とする媒体給送装置。
【請求項１３】
前記装置本体に設けられ、前記媒体の画像を読み取る読取部と、
前記読取部に向けて前記媒体を給送する請求項１から請求項１２のいずれか一項に記載の前記媒体給送装置と、を備える、
ことを特徴とする画像読取装置。
【請求項１４】
請求項１３に記載の画像読取装置において、
給送される前記媒体の種類に基づいて、前記媒体支持部に支持される前記媒体の前記分離手段に対する当たり角度の変更を促すアラート手段を備える、
ことを特徴とする画像読取装置。
【発明の詳細な説明】
【技術分野】
【０００１】
本発明は、媒体を給送する媒体給送装置及びこれを備える画像読取装置に関する。
【背景技術】
【０００２】
画像読取装置の一例であるスキャナーには、媒体としての用紙を自動で送る媒体給送装置（ＡＤＦ（Ａｕｔｏ  Ｄｏｃｕｍｅｎｔ  Ｆｅｅｄｅｒ）とも呼ばれる）が設けられ、複数枚の用紙の自動送りと読み込みとを行える様に構成される場合がある。  
その様な媒体給送装置において、読み取られる用紙は、複数枚重ねられて傾斜姿勢の媒体載置部に支持された状態にセットされるように構成されているものがある（例えば、特許文献１）。
【先行技術文献】
【特許文献】
【０００３】
【特許文献１】特開２０１４−４７０５０号公報
【発明の概要】
【発明が解決しようとする課題】
【０００４】
ここで、画像読取装置において読み取られる用紙としては、所謂、普通紙と称される比較的剛性の低い紙や、普通紙よりも剛性が高いハガキ等の種類がある。  
剛性が低い用紙を媒体載置部に載置する際に、その載置面の角度が急であると、用紙が自重によって滑降する、いわゆる用紙の雪崩現象を引き起し、用紙が正常に搬送されない問題が生じる場合がある。  
また、剛性が高い用紙を媒体載置部に載置する際に、その載置面の角度が緩やかすぎると、用紙の先端が不揃いの状態になり易く、これによっても用紙が正常に搬送されない場合がある。
【０００５】
このため、特許文献１のように、「媒体載置部」としての用紙台１０３が一定角度で配置されているスキャナーの場合、用紙の剛性が給紙性能に影響を与えることを回避するため、給送可能な媒体の種類を限定する等の対応が必要であった。
【０００６】
上記問題点に鑑み、本発明の目的は、剛性の異なる複数種類の媒体に対して精度の高い給送を行うことができる媒体給送装置、及びこれを備える画像読取装置を提供することにある。
【課題を解決するための手段】
【０００７】
上記課題を解決するため、本発明の第１の態様に係る媒体給送装置は、装置本体に設けられ、媒体を給送する給送手段と、前記装置本体において前記給送手段と対向する位置に設けられ、前記媒体を分離する分離手段と、前記給送手段の上流側において前記媒体を傾斜姿勢に支持する媒体支持部と、を備え、前記媒体支持部は、前記媒体支持部に支持される前記媒体の前記分離手段に対する当たり角度を変更可能に構成されている、ことを特徴とする。
【０００８】
「媒体の分離手段に対する当たり角度」は、媒体給送方向と交差する幅方向から見た側面視において、前記媒体が分離手段に突入する角度である。例えば、前記分離手段が分離ローラーである場合には、前記媒体と、前記媒体が前記分離ローラーに当たった位置における接線と、が成す角度である。また、前記分離手段が分離パッドである場合には、前記媒体と、前記分離パッドのパッド面と、が成す角度である。
【０００９】
前記当たり角度が大きくなると、給紙抵抗は小さくなり、媒体の不送（ノンフィード）の虞が低減する。また、剛性の高い媒体の給紙を良好に行うことができる。一方、前記当たり角度が小さくなると、給紙抵抗が大きくなり、媒体の分離を良好に行うことができる。したがって、薄紙のように剛性が低く、分離し難い媒体の給紙を良好に行うことができる。  
本態様によれば、前記媒体支持部は、前記媒体支持部に支持される前記媒体の前記分離手段に対する当たり角度を変更可能に構成されているので、剛性が高い媒体から低い媒体まで、多様な種類の媒体の給送を適切に行うことができる。
【００１０】
本発明の第２の態様に係る媒体給送装置は、第１の態様において、前記給送手段は、前記媒体支持部に支持された複数の媒体のうち、最下位の媒体に接触して回転することにより前記最下位の媒体を給送する、ことを特徴とする。
【００１１】
本態様によれば、前記媒体支持部に支持された複数の媒体のうち、最下位の媒体から順に給送する構成の媒体給送装置において、第１の態様の作用効果が得られる。
【００１２】
本発明の第３の態様に係る媒体給送装置は、第１の態様または第２の態様において、前記媒体支持部は、傾斜角度を変更可能に構成されている、ことを特徴とする。
【００１３】
本態様によれば、前記媒体支持部の傾斜角度を変更することにより、前記媒体支持部に支持される前記媒体の前記分離手段に対する当たり角度を変更することができる。
【００１４】
本発明の第４の態様に係る媒体給送装置は、第３の態様において、前記媒体支持部は、前記装置本体に対して回動可能に設けられている、ことを特徴とする。  
本態様によれば、前記媒体支持部の傾斜角度を容易に変更することができる。
【００１５】
本発明の第５の態様に係る媒体給送装置は、第１の態様または第２の態様において、前記媒体支持部は、前記媒体の支持面に、前記媒体の少なくとも一部に接触して回転可能な補助ローラーを少なくとも一つ備える、ことを特徴とする。
【００１６】
本態様によれば、前記媒体の支持面に、前記媒体の少なくとも一部に接触して回転可能な補助ローラーを少なくとも一つ備えるので、前記媒体の給送をスムースに行うことができる。
【００１７】
本発明の第６の態様に係る媒体給送装置は、第５の態様において、前記補助ローラーは、前記支持面に対して突出する突出状態と、前記突出状態よりも前記支持面側に退避する退避状態と、を切り換え可能に構成されている、ことを特徴とする。
【００１８】
本態様によれば、前記補助ローラーの前記突出状態と前記退避状態とを切り換えて、前記媒体支持部に支持される前記媒体の前記分離手段に対する当たり角度を変更することができる。
【００１９】
本発明の第７の態様に係る媒体給送装置は、第１の態様または第２の態様において、前記媒体支持部として、前記装置本体に対して着脱可能な第１の媒体支持部と、前記装置本体に着脱可能に設けられるアタッチメントを介して、前記装置本体に取り付け可能な第２の媒体支持部と、を交換可能に構成されている、ことを特徴とする。
【００２０】
本態様によれば前記媒体支持部として、前記装置本体に対して着脱可能な第１の媒体支持部と、前記装置本体に着脱可能に設けられるアタッチメントを介して、前記装置本体に取り付け可能な第２の媒体支持部と、を交換可能に構成されているので、より多くの種類の媒体に対応した前記媒体支持部とすることができる。
【００２１】
本発明の第８の態様に係る媒体給送装置は、第７の態様において、前記アタッチメントは、前記装置本体と前記第２の媒体支持部との間において、前記媒体の経路となる経路面を備える、ことを特徴とする。
【００２２】
本態様によれば、前記アタッチメントが、前記装置本体と前記第２の媒体支持部との間において、前記媒体の経路を担う構成とすることができる。
【００２３】
本発明の第９の態様に係る媒体給送装置は、第８の態様において、前記アタッチメントは、前記経路面に、前記媒体の少なくとも一部に接触して回転可能な補助ローラーを少なくとも一つ備える、ことを特徴とする媒体給送装置。
【００２４】
本態様によれば、前記アタッチメントは、前記経路面に、前記媒体の少なくとも一部に接触して回転可能な補助ローラーを少なくとも一つ備えるので、前記媒体の給送をスムースに行うことができる。
【００２５】
本発明の第１０の態様に係る媒体給送装置は、第７の態様から第９の態様のいずれか一つにおいて、前記第２の媒体支持部は、媒体給送方向上流側の端部に、前記媒体の少なくとも一部に接触して回転可能な補助ローラーを備える、ことを特徴とする。
【００２６】
本態様によれば、前記媒体が、前記第２の媒体支持部に支持された際に後端が前記第２の媒体支持部からはみ出すような長尺の媒体である場合に、前記第２の媒体支持部の端部によって前記媒体に傷がつく虞を低減することができる。
【００２７】
本発明の第１１の態様に係る媒体給送装置は、第７の態様から第９の態様のいずれか一つにおいて、前記第２の媒体支持部は、第１の媒体を支持する第１支持面と、前記第１支持面の下方に設けられ、前記第１の媒体と異なるサイズの第２の媒体を支持する第２支持面と、を備えることを特徴とする。
【００２８】
本態様によれば、サイズの異なる媒体を一つの媒体支持部（第２の媒体支持部）に載置することができる。
【００２９】
本発明の第１２の態様に係る媒体給送装置は、第７の態様から第９の態様のいずれか一つにおいて、前記第２の媒体支持部は、前記装置本体に装着された前記アタッチメントに対して着脱可能であり、前記第２の媒体支持部を前記アタッチメントに装着した際に、前記分離手段が前記給送手段から離間する、ことを特徴とする。
【００３０】
本態様によれば、前記第２の媒体支持部を前記アタッチメントに装着した際に、前記分離手段による分離を行わない構成とすることができる。
【００３１】
本発明の第１３の態様に係る画像読取装置は、前記装置本体に設けられ、前記媒体の画像を読み取る読取部と、前記読取部に向けて前記媒体を給送する第１の態様から第１２の態様のいずれか一つの前記媒体給送装置と、を備えることを特徴とする。
【００３２】
本態様によれば、画像読取装置における、前記読取部に向けて前記媒体を給送する媒体給送装置において、第１の態様から第１２の態様のいずれか一つと同様の作用効果が得られる。
【００３３】
本発明の第１４の態様に係る画像読取装置は、第１３の態様において、給送される前記媒体の種類に基づいて、前記媒体支持部に支持される前記媒体の前記分離手段に対する当たり角度の変更を促すアラート手段を備える、ことを特徴とする。
【００３４】
本態様によれば、給送される前記媒体の種類に応じて、前記媒体支持部に支持される前記媒体の前記分離手段に対する当たり角度を変更することを、ユーザーに促すことができる。以って、適切な媒体の給送をより確実に実行できる。
【図面の簡単な説明】
【００３５】
【図１】実施例１に係るスキャナーを示す外観斜視図。
【図２】実施例１に係るスキャナーにおいて上部カバーを開き、排紙トレイを引き出した状態を示す斜視図。
【図３】図２に示すスキャナーの側断面図であり、用紙搬送経路を示す図。
【図４】分離ローラーに対する用紙の当たり角度について説明する図。
【図５】媒体支持部の傾斜角度を変えた状態を示す図。
【図６】媒体支持部の傾斜角度の切替機構について説明する図。
【図７】実施例２に係る媒体支持部の要部拡大図。
【図８】上部カバーに設けられる切替レバーを示す図。
【図９】補助ローラーの状態切替機構について説明する図。
【図１０】実施例３に係るスキャナーにおいて第１のユニット体を取り付けた状態を示す外観斜視図。
【図１１】実施例３に係るスキャナーにおいて第２のユニット体を取り付けた状態を示す外観斜視図。
【図１２】図１１に示すスキャナーの側断面図。
【図１３】図１０に示すスキャナーから第１のユニット体を取り外した状態を装置背面側から見た斜視図。
【図１４】第２のユニット体の外観斜視図。
【図１５】アタッチメントを装置本体に取り付けた状態のスキャナーを装置前面側から見た斜視図。
【図１６】アタッチメントを装置本体に取り付けた状態のスキャナーを装置背面側から見た斜視図。
【図１７】アタッチメントの外観斜視図。
【図１８】アタッチメントの装置本体への取り付けについて説明する図。
【図１９】ロックレバーの動作について説明する図。
【図２０】図１９の要部の平面断面図。
【図２１】変更例１の第２の媒体支持部について説明する図。
【図２２】変更例２の第２の媒体支持部について説明する図。
【図２３】変更例３の第２の媒体支持部について説明する図。
【発明を実施するための形態】
【００３６】
［実施例１］
まず、本発明の一実施例に係る画像読取装置の概略について説明する。本実施例に係る画像読取装置の一例として、媒体の表面及び裏面の少なくとも一面を読み取り可能なドキュメントスキャナー１（以下、単にスキャナー１と称する）を例に挙げる。  
図１は、実施例１に係るスキャナーを示す外観斜視図である。図２は、実施例１に係るスキャナーにおいて上部カバーを開き、排紙トレイを引き出した状態を示す斜視図である。図３は、図２に示すスキャナーの側断面図であり、用紙搬送経路を示す図である。図４は、分離ローラーに対する用紙の当たり角度について説明する図である。図５は、媒体支持部の傾斜角度を変えた状態を示す図である。図６は、媒体支持部の傾斜角度の切替機構について説明する図である。
【００３７】
尚、各図において示すＸ−Ｙ−Ｚ座標系はＸ方向が装置幅方向であり用紙幅方向、Ｙ方向が装置奥行方向であり、Ｚ方向が装置高さ方向である。  
また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。
【００３８】
スキャナー１において、用紙搬送方向は、装置背面側の上方から装置前面側の下方に向かって傾斜しているが、基本的には装置背面側から装置前面側に向かって搬送される構成であるので、Ｙ軸方向を用紙搬送方向として説明する。以下において、用紙Ｐが搬送されていく方向（＋Ｙ方向側）を「下流」といい、これと反対の方向（−Ｙ方向側）を「上流」という。
【００３９】
■■■スキャナーの概要■■■
以下、図１〜図３を参照してスキャナー１の概要について説明する。  
本発明に係るスキャナー１（図１〜図３）は、「媒体」としての用紙Ｐの画像を読み取る読取部２０（図３）を備える装置本体２と、読取部２０に向けて用紙Ｐを給送する媒体給送装置１０（図３）を備えている。また、スキャナー１は、装置本体２に対して開閉する上部カバー６を備えている。
【００４０】
装置本体２は、下部ユニット３と上部ユニット４を備えて構成されている。上部ユニット４は、下部ユニット３に対して用紙搬送方向下流側を回動支点として回動可能に取り付けられている。上部ユニット４を下部ユニット３に対して装置前面側に開くと、用紙Ｐの用紙搬送経路が露呈する。これにより、用紙Ｐの紙詰まりの処理や後述する給送ローラー１６や搬送ローラー対１８等のメンテナンスを容易に行える様になっている。
【００４１】
装置本体２の上部に設けられる上部カバー６は、下部ユニット３の背面側の上部に対して回動可能に下部ユニット３に取り付けられている。  
より具体的には、上部カバー６は、第１カバー部７と第２カバー部８を備えて構成されており、第１カバー部７と第２カバー部８は、回動軸１１（図２、図３）を介して連結されている。そして、第１カバー部７が、下部ユニット３の背面側の上部に対して回動可能に下部ユニット３に取り付けられて、上部カバー６が上部ユニット４の上部を開閉する。  
図２のように上部カバー６を開くと、装置本体２の上部に設けられる媒体セット部１５（図２）が露呈する。媒体セット部１５は、後述する媒体給送装置１０へ用紙Ｐをセットするための用紙挿入口である。
【００４２】
上部カバー６は、図１に示すように上部ユニット４の上部を覆う非給送状態と、図１の非給送状態から図２に示すように装置背面側に回動し、媒体セット部１５を開放するとともに、用紙Ｐが媒体給送装置１０にセット可能になる給送状態とを取り得る。前記給送状態において、上部カバー６の裏面（第１カバー部７の裏面７ａと第２カバー部８の裏面８ａ）が、媒体給送装置１０において、セットされる用紙Ｐを支持する媒体支持部９の支持面９ａとなる。
【００４３】
図２に示す給送状態では、上部カバー６は、第１カバー部７の裏面７ａと第２カバー部８の裏面８ａが面一になる様に開き、図１に示す非給送状態では、第２カバー部８が回動軸１１を軸として閉じる方向に回動し、上部カバー６が上部ユニット４の上部の形状に沿って閉じられる様になっている。  
また、図２において符号１３は、第２カバー部８の内部に収納可能であるとともに、第２カバー部８から引き出し可能に設けられた補助ペーパーサポート１３である。補助ペーパーサポート１３を引き出し、或いは収納して伸縮させることにより、媒体支持部９における支持面９ａの長さを変更できるようになっている。
【００４４】
用紙Ｐは、媒体セット部１５から媒体給送装置１０（図３を参照）にセットされる。媒体給送装置１０は、用紙Ｐを給送する「給送手段」としての給送ローラー１６と、後述する「分離手段」としての分離ローラー１７と、給送ローラー１６の上流側に位置し、読取部２０に向けて送られる複数枚の原稿（用紙Ｐ）を支持する支持面９ａを有する媒体支持部９を備えている。
【００４５】
媒体支持部９としての第１カバー部７の裏面７ａには、媒体支持部９の支持面９ａに載置される用紙Ｐの給送方向と交差する幅方向（Ｘ軸方向）の側縁をガイドする一対のエッジガイド１２（図２）が設けられている。  
一対のエッジガイド１２は、異なる幅（Ｘ軸方向の長さ）の用紙Ｐに合わせてＸ軸方向にスライド可能に構成されている。
【００４６】
また、下部ユニット３の装置前面側には、装置本体２内部から用紙Ｐを排出する開口である排出部１４と、排出部１４から排出される用紙Ｐを受ける排紙トレイ５が設けられている。
【００４７】
排紙トレイ５は、図１に示すように排出部１４に収納された状態と、図２に示すように排出部１４から装置前面側に向けて引き出された状態と、をとり得る。また、本実施形態において排紙トレイ５は複数のトレイ部材１９ａ、１９ｂ、１９ｃ、１９ｄ（図２）を連結して構成されており、排出される用紙Ｐの長さに応じて、排出部１４からの引き出し長さを調整可能である。  
尚、排紙トレイ５は、本実施形態のような引き出し式（挿入式、入れ子式とも言う）の他、複数のトレイ部材を折り畳んで収納し、使用時には折り畳みを展開して長さを調整可能な折り畳み式とすることも可能である。
【００４８】
■■■スキャナーにおける用紙搬送経路について■■■
次に、図３を参照して、スキャナー１における用紙搬送経路について説明する。  
媒体セット部１５にセットされる用紙Ｐは、下部ユニット３に対して装置背面側に回動した姿勢にある上部カバー６の裏面（第１カバー部７の裏面７ａと第２カバー部８の裏面８ａ）を支持面９ａとする媒体支持部９に載置される。媒体支持部９には、複数枚の用紙Ｐをセットすることができる。尚、媒体支持部９については、用紙搬送経路についての説明した後に、更に詳しく説明する。
【００４９】
媒体支持部９に載置された用紙Ｐは、給送ローラー１６によりピックアップされて下流側（＋Ｙ方向側）に給送される。給送ローラー１６は、下部ユニット３（装置本体２）に対して回転可能に設けられている。より具体的には、媒体支持部９に支持された複数の用紙Ｐのうち、最下位の用紙Ｐの裏面、すなわち用紙Ｐにおいて支持面９ａと対向する面に、給送ローラー１６が接触して回転することにより、前記最下位の用紙Ｐを下流側に向けて給送する。給送ローラー１６は、用紙搬送経路に対して一部が突出するように配置されている。  
尚、本実施形態の媒体給送装置１０は、媒体支持部９に支持された複数の用紙Ｐが下から順に給送される構成であるが、例えば、給送ローラー１６を上部ユニット４に設け、最上位の用紙から給送される構成とすることも可能である。
【００５０】
また、上部ユニット４（装置本体２）において給送ローラー１６と対向する位置には、用紙Ｐを分離する「分離手段」としての分離ローラー１７が設けられている。分離ローラー１７には所定の回転抵抗が与えられており、用紙の重送を抑制している。給送ローラー１６と分離ローラー１７に２枚以上の用紙Ｐが入り込もうとする場合には、上側の用紙が分離ローラー１７により分離され、給送ローラー１６と接している用紙のみが給送ローラー１６と分離ローラー１７とにニップされて給送方向下流側に給送される。  
給送ローラー１６及び分離ローラー１７の外周面は、高摩擦材料（例えば、ゴムなどのエラストマー等）により構成されている。尚、「分離手段」はローラーに限られず、例えば、前記高摩擦材料により形成された面を有する分離パッドを用いることもできる。
【００５１】
給送ローラー１６の搬送方向下流側には搬送ローラー対１８と、読取部２０と、排出ローラー対２１が設けられている。  
本実施形態において排出ローラー対２１は下部ユニット３に設けられる排出駆動ローラー２１ａと、上部ユニット４に設けられ、排出駆動ローラー２１ａに対して従動回転する排出従動ローラー２１ｂを備えている。
【００５２】
給送ローラー１６及び分離ローラー１７によりニップされて搬送方向下流側に給送された用紙Ｐが搬送ローラー対１８にニップされて、搬送ローラー対１８の下流側に位置する読取部２０に搬送される。  
搬送ローラー対１８は下部ユニット３に設けられた搬送駆動ローラー１８ａと、上部ユニット４に設けられ、搬送駆動ローラー１８ａに対して従動回転する搬送従動ローラー１８ｂを備えている。
【００５３】
尚、本実施形態において給送ローラー１６、搬送駆動ローラー１８ａ及び排出駆動ローラー２１ａは、下部ユニット３内に設けられた不図示の駆動源により回転駆動させられる。  
また、給送ローラー１６、分離ローラー１７、及び搬送ローラー対１８は、媒体搬送方向と交差する幅方向（Ｘ軸方向）の中央部に配置されており、用紙Ｐの位置決めを用紙Ｐの幅方向の中央を基準として行う、所謂、センター給紙を行う構成である。したがって、排出ローラー対２１もＸ軸方向中央部に設けられている。
【００５４】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００５５】
用紙Ｐは、読取部２０において用紙Ｐの表面及び裏面の少なくとも一方の面の画像が読み取られた後、読取部２０の下流側に位置する排出ローラー対２１にニップされて排出部１４から排紙トレイ５に向けて排出される。尚、図３における点線はスキャナー１における用紙搬送経路を給送される用紙Ｐを示している。
【００５６】
■■■媒体給送装置の媒体支持部について■■■
以下、媒体給送装置１０の媒体支持部９について詳述する。  
媒体支持部９は、図３に示す様に、給送ローラー１６（給送手段）の上流側において用紙Ｐを傾斜姿勢に支持している。  
そして、媒体支持部９は、媒体支持部９に支持される用紙Ｐの分離ローラー１７に対する「当たり角度α」を変更可能に構成されている。以下において、図４を参照して当たり角度αについて説明する。
【００５７】
用紙Ｐの分離ローラー１７に対する当たり角度αは、図４に示す媒体給送方向と交差する幅方向（Ｘ軸方向）から見た側面視において、用紙Ｐが分離ローラー１７に突入する角度であり、用紙Ｐと、用紙Ｐが分離ローラー１７に当たった位置における接線（図４において符号Ｓで示す）とが成す角度である。  
尚、図４において、上図は当たり角度αが大きいα１である場合（α＝α１）を示しており、下図は、当たり角度αが上図の当たり角度α１よりも小さいα２である場合を示している（α＝α２＜α１）。
【００５８】
ここで、スキャナー１において読み取られる原稿としての用紙Ｐには、多様な種類の紙質のものがあり、特に用紙Ｐの剛性の違いにより、分離ローラー１７による用紙Ｐの分離性が変わってくる。これは、用紙Ｐの剛性の違いによって適した当たり角度αも異なるためである。  
媒体支持部９が一定角度で配置されていると、当たり角度αも一定となるため、適切に給送可能な用紙の種類が限られたものとなってしまう。
【００５９】
本実施形態における媒体支持部９は、媒体支持部９に支持される用紙Ｐの分離ローラー１７に対する当たり角度αを変更することができるので、用紙Ｐの種類（用紙Ｐの剛性の種類）に応じて当たり角度αを変えて、色々な種類の用紙Ｐを適切に給送することができる。
【００６０】
例えば、用紙Ｐが厚紙のように剛性の高い媒体の場合には、図４の上図のように当たり角度αを大きくすることにより、分離ローラー１７における給紙抵抗が小さくなり、用紙Ｐの不送（ノンフィード）の虞を低減することができる。以って、剛性の高い用紙Ｐの給紙を良好に行うことができる。  
一方、用紙Ｐが薄紙のように剛性が低く、分離し難い媒体の場合には、図４の下図のように当たり角度αを小さくすることにより、給紙抵抗が大きくなり、剛性が低い用紙Ｐの分離を良好に行って給送することができる。  
このように、分離ローラー１７に対する当たり角度αを変更することにより、多様な種類の用紙Ｐの給送を適切に行うことができる。
【００６１】
本実施形態において、媒体支持部９に支持される用紙Ｐの分離ローラー１７に対する当たり角度は、媒体支持部９の傾斜角度を変えることにより変更することができる。  
具体的には、媒体支持部９は、図５の中図を通常状態として、通常状態よりも傾斜角度が急な状態（図５の上図）と、通常状態よりも傾斜角度が緩やかな状態（図５の下図）とをとり得る。尚、図５の各図において符号Ｔで示す点線は、通常状態における媒体支持部９の傾斜角度を示している。
【００６２】
＜媒体支持部の傾斜角度の切り替えについて＞
前述したように、媒体支持部９は装置本体２を構成する下部ユニット３に対して回動可能に設けられているので、媒体支持部９を回動させて傾斜角度を変更することができる。  
媒体支持部９の傾斜角度の切り替えは、例えば図６に示す様に、媒体支持部９の回動軸２２に設けられる係合凸部２３と、下部ユニット３（装置本体２）に設けられる複数の係合凹部２４ａ、２４ｂ、２４ｃとを設け、回動軸２２の係合凸部２３が係合する係合凹部を切り替えることによって行うことができる。
【００６３】
本実施形態においては、回動軸２２の係合凸部２３が、係合凹部２４ｂと係合している状態が前記通常状態であり（図５の中図、図６の中図）、係合凸部２３が係合凹部２４ａと係合している際に最も傾斜角度が大きくなり（図５の上図、図６の上図）、係合凸部２３が係合凹部２４ｃと係合している際に最も傾斜角度が小さくなる（図５の下図、図６の下図）。  
以上のように、媒体支持部９を回動させて傾斜角度を容易に変更することができる。  
尚、媒体支持部９の傾斜角度は、本実施例において説明したように、いくつかの決められた角度の間で切り替える場合の他、任意の角度に変えられるように構成することも可能である。
【００６４】
［実施例２］
実施例２では主として図７〜図９を参照して、媒体給送装置における媒体支持部の他の例について説明する。図７は、実施例２に係る媒体支持部の要部拡大図である。図８は、上部カバーに設けられる切替レバーを示す図である。図９は、補助ローラーの状態切替機構について説明する図である。  
本実施例において実施例１と同一の構成については同一の符号を付し、その構成の説明は省略する。
【００６５】
本実施形態においても実施例１と同様に、開いた状態の上部カバー６（第１カバー部７及び第２カバー部８、図２を参照）が媒体支持部３０として機能する。媒体支持部３０において、用紙Ｐを支持する支持面３０ａは、第１カバー部７及び第２カバー部８のそれぞれの裏面７ａ及び裏面８ａによって構成されている。
【００６６】
そして、媒体支持部３０は、用紙Ｐの支持面３０ａに、用紙Ｐの少なくとも一部に接触して回転可能な補助ローラー３１（図７）を少なくとも一つ備えている。  
具体的には、媒体支持部３０を構成する第１カバー部７及び第２カバー部８の内、第１カバー部７の裏面７ａの装置幅方向（Ｘ軸方向）の中央部に、補助ローラー３１が設けられている。
【００６７】
媒体支持部３０の支持面３０ａに、補助ローラー３１が設けられていることにより、用紙Ｐをスムースに給送することができる。補助ローラー３１は複数設けることができ、その場合には、複数の補助ローラー３１を支持面３０ａの装置幅方向の中央部に対して対称に配置することが好ましい。また、媒体支持部３０の支持面３０ａとしての第２カバー部８の裏面８ａ（図２）に設けることも可能である。  
尚、本実施形態の媒体支持部３０の支持面３０ａには、図７に示すように、装置幅方向の中央部に、媒体給送方向に沿う方向（Ｙ軸方向）に延設されるリブ３２が設けられている。リブ３２は、装置幅方向において補助ローラー３１と同じ位置に設けられている。リブ３２が設けられていることにより、用紙Ｐの支持面３０ａにおける接触抵抗を減らし、用紙Ｐの円滑な給送が実現できる。
【００６８】
また、補助ローラー３１は、図９の下図のように、支持面３０ａに対して突出する突出状態と、図９の上図のように、前記突出状態よりも支持面３０ａ側に退避する退避状態と、を切り換え可能に構成されている。  
補助ローラー３１が前記退避状態にある際（図９の上図）には、用紙Ｐは媒体支持部３０の支持面３０ａの傾斜に沿った角度で支持される。一方、補助ローラー３１が前記突出状態にある際（図９の下図）には、用紙Ｐは少なくとも一部が補助ローラー３１によって支持されて、支持面３０ａの傾斜よりも急な角度になる。
【００６９】
以上のように、補助ローラー３１の前記突出状態と前記退避状態とを切り換えることにより、図９の上図と下図のように用紙Ｐの傾斜角度が変わるので、媒体支持部３０の下流側にある分離ローラー１７に対する用紙Ｐの当たり角度αを変更することができる。  
したがって、用紙Ｐの種類（用紙Ｐの剛性の種類）に応じて当たり角度αを変えて、多様な種類の用紙Ｐを適切に給送することができる。
【００７０】
＜補助ローラーの状態切替機構について＞
続いて、補助ローラー３１の前記突出状態と前記退避状態とを切り換える状態切替機構について説明する。  
補助ローラー３１の状態切り替えは、第１カバー部７に設けられる切替レバー３３を動かすことにより実行される。
【００７１】
より具体的には、切替レバー３３は、凸部３４を備えるカム部３５と一体に設けられており、第１カバー部７に沿ってスライド可能に構成されている。図９において両矢印で示す方向が切替レバー３３のスライド方向であり、そのスライド方向を＋Ａ及び−Ａで示す。補助ローラー３１は、カムフォロア３６に設けられる軸受部３７に回動可能に取り付けられており、カムフォロア３６は、カム部３５の凸部３４が係合するカム溝３８を備えている。
【００７２】
図９の上図のように、カム部３５の凸部３４が、カムフォロア３６のカム溝３８の上端部に位置する際には、補助ローラー３１は前記退避状態をとり、切替レバー３３を＋Ａ方向にスライドさせると、図９の下図のように、カム部３５の凸部３４がカム溝３８の下端部に移動するとともに、カムフォロア３６は上方に押し上げられる。これにより、補助ローラー３１が前記突出状態となる。  
前記突出状態から前記退避状態への切り替えは、切替レバー３３を逆方向、すなわち−Ａ方向にスライドさせることにより行うことができる。  
尚、補助ローラー３１の状態の切り替えは、切替レバー３３等を用いて手動で行う場合の他、例えば、ユーザーによって設定された媒体の種類についてのドライバー情報等に基づき、自動で行う様に構成することも可能である。
【００７３】
［実施例３］
実施例３では、図１０〜図２０を参照して、本発明に係る媒体給送装置及びこれを備えるスキャナーの他の例について説明する。  
図１０は、実施例３に係るスキャナーにおいて第１のユニット体を取り付けた状態を示す外観斜視図である。図１１は、実施例３に係るスキャナーにおいて第２のユニット体を取り付けた状態を示す外観斜視図である。図１２は、図１１に示すスキャナーの側断面図である。図１３は、図１０に示すスキャナーから第１のユニット体を取り外した状態を装置背面側から見た斜視図である。図１４は、第２のユニット体の外観斜視図である。図１５は、アタッチメントを装置本体に取り付けた状態のスキャナーを装置前面側から見た斜視図である。図１６は、アタッチメントを装置本体に取り付けた状態のスキャナーを装置背面側から見た斜視図である。図１７は、アタッチメントの外観斜視図である。図１８は、アタッチメントの装置本体への取り付けについて説明する図である。図１９は、ロックレバーの動作について説明する図である。図２０は、図１９の要部の平面断面図である。
【００７４】
実施例３に係るスキャナー４０は、実施例１において説明したスキャナー１とほぼ同様の外観を有している。スキャナー４０において実施例１と同一の構成については同一の符号を付し、その構成の説明は省略する。  
スキャナー４０の装置本体２としての上部ユニット４は、装置前面側に、各種読み取り設定・読み取り実行を行う操作を行ったり、読み取り設定内容等を表示する操作パネル４２を備えている。
【００７５】
スキャナー４０は、原稿としての用紙Ｐ（媒体）を給送する媒体給送装置４１において、用紙Ｐを支持する媒体支持部が交換可能に構成されている点が特徴である。  
具体的には、用紙Ｐを支持する媒体支持部として、装置本体２に対して着脱可能な第１の媒体支持部４４（図１０）と、装置本体２に着脱可能に設けられるアタッチメント４５（図１２）を介して、装置本体２に取り付け可能な第２の媒体支持部４６（図１１、図１２）と、を交換可能に構成されている。
【００７６】
より具体的には、図１０に示す第１の媒体支持部４４は、エッジガイド１２を備える第１のユニット体４７として構成されており、図１０においては、第１のユニット体４７が装置本体２に装着されている。  
図１１に示す第２の媒体支持部４６は、エッジガイド４３、４３を備える第２のユニット体４８（図１１の他、図１４も参照）として構成されており、図１１においては、装置本体２に第２のユニット体４８が装着されている。尚、第２の媒体支持部４６は、第２の媒体支持部４６の内部に収納可能であり、且つ、第２の媒体支持部４６から引き出し可能な補助ペーパーサポート４９ａ、４９ｂを備え、支持面４６ａの長さを調整可能に構成されている。
【００７７】
図１０において、第１の媒体支持部４４の支持面４４ａ（第１カバー部７の裏面７ａ）には、支持面４４ａに対して突出する突出状態と、前記突出状態よりも支持面４４ａ側に退避する退避状態と、を切り換え可能な補助ローラー３１が設けられており、補助ローラー３１の状態を切り換えることにより、第１の媒体支持部４４に支持される用紙Ｐの分離ローラー１７に対する当たり角度αを変更可能に構成されている。
【００７８】
また、図１１を参照するに、第２の媒体支持部４６の支持面４６ａにも、補助ローラー３１と同様の補助ローラー５１が設けられている。すなわち、補助ローラー５１は、支持面４６ａに対して突出する突出状態と、前記突出状態よりも支持面４６ａ側に退避する退避状態と、を切り換え可能に構成されており、補助ローラー５１の状態を切り換えることにより、第２の媒体支持部４６に支持される用紙Ｐの分離ローラー１７に対する当たり角度αを変更可能に構成されている。
【００７９】
第１の媒体支持部４４によって給送可能な用紙の種類と、第２の媒体支持部４６によって給送可能な用紙の種類は、少なくとも一部が異なっており、第１の媒体支持部４４（第１のユニット体４７）と第２の媒体支持部４６（第２のユニット体４８）を交換することにより、より多くの種類の用紙を給送可能になる。  
第１の媒体支持部４４及び第２の媒体支持部４６において、例えば、それぞれの支持面４４ａ及び支持面４６ａの傾斜角度を変えることにより、分離ローラー１７に対する当たり角度αを変えて、第１の媒体支持部４４と第２の媒体支持部４６とが、それぞれ異なる種類の用紙に対応するように構成することができる。また、補助ローラー３１及び補助ローラー５１の突出状態における突出量を変えてもよい。
【００８０】
また、第１の媒体支持部４４は、実施例１と同様に装置本体２の上部を開閉する上部カバー６を兼ねており、比較的厚みが薄く形成されているが（図３における上部カバー６を参照）、第２の媒体支持部４６は、アタッチメント４５（図１２）を介して装置本体２に固定されており、第１の媒体支持部４４よりも厚みが厚く形成されている。  
第２の媒体支持部４６は、第１の媒体支持部４４よりも装置本体２への取り付け強度が高く、第１の媒体支持部４４より多くの用紙Ｐが載置可能である。
【００８１】
＜アタッチメント及び第２のユニット体の取り付けについて＞
続いて、図１３〜図２０を参照して、スキャナー４０におけるアタッチメント４５及び第２のユニット体４８の取り付けについて説明する。まず、アタッチメント４５の装置本体２への取り付けについて説明し、その後、第２のユニット体４８のアタッチメント４５への取り付けについて説明する。
【００８２】
■■■アタッチメントの装置本体への取り付けについて■■■
図１３は、スキャナー４０において、第１の媒体支持部４４としての第１のユニット体４７を取り外した状態を示している。  
図１３に示す下部ユニット３（装置本体２）において、媒体セット部１５の−Ｘ軸方向に位置するＢ部には、アタッチメント４５（図１７）の固定位置を決めるための凹部６５と固定用のネジ孔６６（いずれも図１８の上図を参照）が設けられている。凹部６５とネジ孔６６は、装置幅方向においてＢ部と反対の＋Ｘ軸方向側にも設けられている。以下、Ｂ部側（−Ｘ軸方向側）について説明するが、＋Ｘ軸方向側も同様である。
【００８３】
アタッチメント４５は、後述する挿入孔６２（図１７及び図１８の上図）の下側に位置決め用の凸部６３（図１８の上図）を備え、凸部６３が下部ユニット３側の凹部６５と係合することによりアタッチメント４５の下部ユニット３に対する取り付け位置が決められる（図１８の下図）。  
アタッチメント４５において、凸部６３の装置幅方向の内側（＋Ｘ軸方向）には、固定ネジ６４（図１８の上図）が設けられている。固定ネジ６４は、下部ユニット３側のネジ孔６６（図１８の上図）に締結され、アタッチメント４５が下部ユニット３に固定される（図１８の下図）。図１５及び図１６は、尚、アタッチメント４５が下部ユニット３に取り付けられた状態を示している。
【００８４】
■■■第２のユニット体のアタッチメントへの取り付けについて■■■
アタッチメント４５は、装置背面側（−Ｙ軸方向）における装置幅方向（Ｘ軸方向）の両側に挿入孔６２（図１６及び図１７）を備えている。そして、第２のユニット体４８において、装置幅方向（Ｘ軸方向）の両側に設けられる挿入部５２（図１４及び図１９）が、アタッチメント４５の挿入孔６２に挿入されて、第２のユニット体４８がアタッチメント４５に取り付けられる。
【００８５】
図１４において、挿入部５２に設けられる凹部５３は、アタッチメント４５の挿入孔６２側に設けられる不図示の凸部と係合する様になっている。挿入部５２側の凹部５３と、挿入孔６２側の凸部（不図示）が係合することにより、第２のユニット体４８をアタッチメント４５に取り付けた際のクリック感が得られるとともに、第２のユニット体４８の取付位置を決めることができる。
【００８６】
第２のユニット体４８には、先端に係合部５４を備えるロックレバー５５、５５が設けられており（図１４、図１９及び図２０）、係合部５４、５４をアタッチメント４５側に設けられる被係合部６７、６７（図２０）と係合させて、第２のユニット体４８のアタッチメント４５への取り付けをロックする。
【００８７】
ロックレバー５５、５５は、第２のユニット体４８の内部に設けられており、図１４に示す様に係合部５４、５４を含む一部が第２のユニット体４８の外に露呈している。  
ロックレバー５５は、回動軸５７を軸として回動可能に設けられているとともに、付勢手段５９によって図１９の下図及び図２０の下図に示す第１状態に付勢されている。
【００８８】
図１９に示す第２のユニット体４８の背面側、すなわち、支持面４６ａ（図１４）の反対側の面には、窓部５６、５６が設けられている。そして、ロックレバー５５、５５において、係合部５４、５４と反対側の端部に設けられる手掛け部５８が、窓部５６、５６から露呈している。  
手掛け部５８を手や指で押す等により、手掛け部５８に外力を付与して装置幅方向の内側に変位させると、ロックレバー５５、５５は付勢手段５９の付勢力に抗して回動し、前記第１状態から図１９の上図及び図２０の上図に示す第２状態となる。
【００８９】
図２０の上図に示す様に、前記第２状態においては、ロックレバー５５、５５の係合部５４、５４は、アタッチメント４５側の被係合部６７、６７と離間しており、この状態においては第２のユニット体４８とアタッチメント４５の着脱を行うことができる。
【００９０】
ロックレバー５５、５５を前記第２状態にして第２のユニット体４８をアタッチメント４５へ取り付けた後、手掛け部５８から手を離すと、ロックレバー５５、５５は付勢手段５９の付勢力によって前記第１状態となり、図２０の下図に示す様に係合部５４、５４と被係合部６７、６７とが係合して、第２のユニット体４８がアタッチメント４５に取り付けられた状態がロックされる。
【００９１】
＜アタッチメントについて＞
続いて、アタッチメント４５の構成について更に説明する。  
アタッチメント４５は、装置本体２と第２の媒体支持部４６との間において、用紙Ｐの経路となる経路面６０を備えている。すなわち、アタッチメント４５は、第２の媒体支持部４６（第２のユニット体４８）の装置本体２への装着を仲介しつつ、用紙Ｐの経路を担う構成になっている。
【００９２】
アタッチメント４５が経路面６０を備えることにより、第２のユニット体４８を取り外し、装置本体２にアタッチメント４５のみを取り付けた状態（図１５）でも、媒体セット部１５に用紙をセットしてスキャナー４０を使用することができる。  
例えば、用紙Ｐが名刺サイズ、ハガキサイズ等の小さなサイズの場合には、装置本体２にアタッチメント４５のみを取り付けた状態、すなわち、第２の媒体支持部４６が無い図５の状態でも、経路面６０で用紙Ｐを支持することができる。  
第２の媒体支持部４６（第２のユニット体４８）を装置本体２から取り外すと、スキャナー４０はよりコンパクトな外観となるので、スキャナー４０を省スペースで配置することができる。
【００９３】
また、アタッチメント４５は、経路面６０に、用紙Ｐの少なくとも一部に接触して回転可能な補助ローラー６１を少なくとも一つ備えている。本実施形態においては、経路面６０における装置幅方向（Ｘ軸方向）の中央部に補助ローラー６１が一つ設けられている。  
アタッチメント４５の経路面６０に補助ローラー６１が設けられていることにより、用紙Ｐの給送をスムースに行うことができる。  
なお、補助ローラー６１を、実施例１の補助ローラー３１と同様に、経路面６０に対して突出する突出状態と、前記突出状態よりも経路面６０側に退避した退避状態と、を切り換えられるように構成することもできる。
【００９４】
＜スキャナーにおける他の構成＞
スキャナー４０には、給送される用紙Ｐの種類に基づいて、ユーザーに用紙Ｐの分離ローラーに対する当たり角度αの変更を促すアラート手段を設けることができる。  
具体的には、操作パネル４２を用いてユーザーが設定した用紙Ｐの種類に関するドライバー情報に基き、スキャナー４０に設けられる不図示の制御部において当たり角度αの変更が必要であると判断される場合には、操作パネル４２に表示する、警告音を鳴らす、警告ランプを点灯する等のアラート手段によりユーザーに知らせる様に構成することができる。  
このことにより、当たり角度αの変更を要することがユーザーに明確に伝わるので、ユーザーによる当たり角度αの変更操作がより確実に行われる。以って、媒体給送装置４１における適切な用紙Ｐの給送をより確実に実行できる。
【００９５】
スキャナー４０は、実施例３において説明した第２の媒体支持部４６に替えて、他の構成の第２の媒体支持部を用いることができる。このことによって、更に多くの種類の用紙を適切に給送することができる。すなわち、スキャナー４０における対応用紙の種類を増やすことができる。  
以下、スキャナー４０に用いることができる第２の媒体支持部の変更例（変更例１〜変更例３）について説明する。尚、変更例１〜変更例３において、実施例３と同一の構成については同一の符号を付し、その構成の説明は省略する。
【００９６】
［変更例１］
図２１を参照して、第２の媒体支持部の変更例について説明する。図２１は、変更例１の第２の媒体支持部について説明する図である。  
変更例１としての第２の媒体支持部７０（図２１）は、媒体給送方向上流側の端部に、用紙の少なくとも一部に接触して回転可能な「補助ローラー」としてのコロローラー７１ｂを備えている。  
また、第２の媒体支持部７０の支持面７０ａにおいて、コロローラー７１ｂから前記媒体給送方向に間隔をあけた位置に、コロローラー７１ａが設けられている。
【００９７】
第２の媒体支持部７０には、媒体給送方向に長尺の用紙Ｐ１を載置することができる。媒体給送方向の長さが支持面７０ａよりも長い用紙Ｐ１は、図２１のように後端が支持面７０ａの後端から垂れ下がる様になっている。
【００９８】
コロローラー７１ｂが第２の媒体支持部７０の支持面７０ａの後端に設けられていることにより、用紙Ｐ１の給送に伴って支持面７０ａから垂れ下がる用紙Ｐ１が引き上げられる際に、支持面７０ａの後端に用紙Ｐ１が摺接して傷が付く虞を低減している。
【００９９】
また、コロローラー７１ａ、７１ｂは、支持面７０ａの幅方向（Ｘ軸方向）の中央部寄りに設けられている。コロローラー７１ａ、７１ｂが設けられていることにより、長尺の用紙Ｐ１と支持面７０ａとの間の接触抵抗を減らすことができるので、長尺の用紙Ｐ１をスムースに給送することができる。  
以上のような第２の媒体支持部７０を、アタッチメント４５を介して装置本体２に装着することにより、スキャナー４０において長尺の媒体を適切に給送することができる。
【０１００】
［変更例２］
図２２を参照して、第２の媒体支持部の他の変更例について説明する。図２２は、変更例２の第２の媒体支持部について説明する図である。  
変更例２としての第２の媒体支持部８０は、図２２に示す様に、「第１の媒体」としてのＡ５サイズの用紙Ｐ２を支持する第１支持面８０ａと、第１支持面８０ａの下方に設けられ、用紙Ｐ２（第１の媒体）と異なるサイズの「第２の媒体」としてのＡ４サイズの用紙Ｐ３を支持する第２支持面８０ｂと、を備えている。
【０１０１】
すなわち、第２の媒体支持部８０は、サイズの異なる用紙Ｐ２（Ａ５サイズ）と用紙Ｐ３（Ａ４サイズ）を一つの第２の媒体支持部８０でセットすることができる様に構成されている。これにより、スキャナー４０において読み取ることができる用紙の種類を増やすことができる。
【０１０２】
また、第１支持面８０ａは、第２支持面８０ｂよりも急斜面に形成されており、第１支持面８０ａと第２支持面８０ｂが、アタッチメント４５の経路面６０の上流側で合流するように形成されている。  
したがって、用紙が第１支持面８０ａにセットされる場合と、第２支持面８０ｂにセットされる場合とにおいて、分離ローラー１７に対する当たり角度α（図４を参照）を変えることができる。このことによって、適切に給送可能な用紙の種類の幅が広がる。
【０１０３】
［変更例３］
図２３を参照して、第２の媒体支持部の更に他の変更例について説明する。図２３は、変更例３の第２の媒体支持部について説明する図である。  
第２の媒体支持部９０は、アタッチメント４５に設けられる挿入孔６２に挿入可能な挿入部９１を備え、装置本体２に装着されたアタッチメント４５に対して着脱可能に構成されている。  
そして、アタッチメント４５の挿入孔６２に第２の媒体支持部９０の挿入部９１を挿入し、第２の媒体支持部９０をアタッチメント４５に装着した際に、分離ローラー１７が給送ローラー１６から離間する様に構成されている。
【０１０４】
分離ローラー１７は、第２の媒体支持部９０をアタッチメント４５に取り付けていない状態では、図２３において点線で示す様に給送ローラー１６に近接しており、分離ローラー１７が複数枚の用紙Ｐを最下位の一枚に分離して、給送ローラー１６が用紙Ｐを下流へ給送する。  
そして、第２の媒体支持部９０がアタッチメント４５に取り付けられると、分離ローラー１７が図２３における矢印Ｄ方向に変位し、給送ローラー１６から離間する。このことにより、第２の媒体支持部９０をアタッチメント４５に装着した際に、分離ローラー１７による分離を行わない構成とすることができる。  
例えば、用紙Ｐが厚紙等の剛性の高い媒体である場合、分離ローラー１７が無くても用紙が分離し易く、また分離ローラー１７があると分離抵抗により用紙Ｐの不送が生じ易い。  
このような場合に、第２の媒体支持部９０を用いることにより、剛性の高い用紙Ｐの不送の虞を低減することができる。
【０１０５】
第２の媒体支持部９０のアタッチメント４５への装着により、分離ローラー１７が給送ローラー１６から離間する機構は、例えば、挿入部９１の挿入孔６２への挿入をトリガーとして動作するカム機構等を用いることができる。また、挿入部９１の挿入孔６２への挿入を電気的信号として不図示の制御部に送り、前記制御部により分離ローラー１７を変位させるための駆動部を制御する構成とすることも可能である。
【０１０６】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【０１０７】
１…スキャナー（画像読取装置）、２…装置本体、３…下部ユニット、
４…上部ユニット、５…排紙トレイ、５ａ…載置面、６…上部カバー、
７…第１カバー部、８…第２カバー部、９…媒体支持部、９ａ…支持面、
１０…媒体給送装置、１１…回動軸、１２…エッジガイド、
１３…補助ペーパーサポート、１４…排出部、１５…媒体セット部、
１６…給送ローラー（給送手段）、１７…分離ローラー（分離手段）、
１８…搬送ローラー対、１８ａ…搬送駆動ローラー、１８ｂ…搬送従動ローラー、
１９ａ、１９ｂ、１９ｃ、１９ｄ…トレイ部材、２０…読取部、
２０ａ…上部読取センサー、２０ｂ…下部読取センサー、２１…排出ローラー対、
２１ａ…排出駆動ローラー、２１ｂ…排出従動ローラー、２２…回動軸、
２３…係合凸部、２４ａ、２４ｂ、２４ｃ…係合凹部、３０…媒体支持部、
３０ａ…支持面、３１…補助ローラー、３２…リブ、３３…切替レバー、３４…凸部、
３５…カム部、３６…カムフォロア、３７…軸受部、３８…カム溝、
４０…スキャナー、４１…媒体給送装置、４２…操作パネル、４３…エッジガイド、
４４…第１の媒体支持部、４５…アタッチメント、４６…第２の媒体支持部、
４７…第１のユニット体、４８…第２のユニット体、
４９ａ、４９ｂ…補助ペーパーサポート、５１…補助ローラー、
５２…挿入部、５３…凹部、５４…係合部、５５…ロックレバー、
５６…窓部、５７…回動軸、５８…手掛け部、５９…付勢手段、
６０…経路面、６１…補助ローラー、６２…挿入孔、６３…凸部、
６４…固定ネジ、６５…凹部、６６…ネジ孔、６７…被係合部、
７０…第２の媒体支持部、７１ａ、７１ｂ…コロローラー、
８０…第２の媒体支持部、８０ａ…第１支持面、８０ｂ…第２支持面、
９０…第２の媒体支持部、９１…挿入部、
Ｐ、Ｐ１…用紙（媒体）
【図１】
2018108888.tif 000003
【図２】
2018108888.tif 000004
【図３】
2018108888.tif 000005
【図４】
2018108888.tif 000006
【図５】
2018108888.tif 000007
【図６】
2018108888.tif 000008
【図７】
2018108888.tif 000009
【図８】
2018108888.tif 000010
【図９】
2018108888.tif 000011
【図１０】
2018108888.tif 000012
【図１１】
2018108888.tif 000013
【図１２】
2018108888.tif 000014
【図１３】
2018108888.tif 000015
【図１４】
2018108888.tif 000016
【図１５】
2018108888.tif 000017
【図１６】
2018108888.tif 000018
【図１７】
2018108888.tif 000019
【図１８】
2018108888.tif 000020
【図１９】
2018108888.tif 000021
【図２０】
2018108888.tif 000022
【図２１】
2018108888.tif 000023
【図２２】
2018108888.tif 000024
【図２３】
2018108888.tif 000025